(57)【要約】【課題】記録テープカートリッジのラベルエリアを外部から視認できる記録テープカートリッジ収納ケース及び記録テープカートリッジ入り収納ケースを得る。【解決手段】底面視で矩形状の底板１４と底板１４の周縁から立設された周壁１６とを有し、複数の記録テープカートリッジ４０がそれぞれラベルエリア４４を上に向けて少なくとも２列で収納される樹脂製のケース本体１２であって、底板１４には、列を成す記録テープカートリッジ４０の互いに隣り合う側面４３、４５同士の間に介在させる底リブ２２が形成されているケース本体１２と、周壁１６の上端に取り付けられ、ケース本体１２を密閉する樹脂製の蓋部材３０であって、側面４３、４５同士の間に介在させる天リブ３２を有し、天リブ３２の両側で、かつラベルエリア４４と対向する部分に、透明な平坦面である透過部３４が形成されている蓋部材３０と、を備えた記録テープカートリッジ収納ケース１０とする。【選択図】図２
2019172270.tif 000002
【特許請求の範囲】
【請求項１】
底面視で矩形状の底板と、前記底板の周縁から立設された周壁と、を有し、複数の記録テープカートリッジがそれぞれラベルエリアを上に向けて少なくとも２列で収納される樹脂製のケース本体であって、前記底板には、列を成す前記記録テープカートリッジの互いに隣り合う側面同士の間に介在させる底リブが形成されている前記ケース本体と、
前記周壁の上端に取り付けられ、前記ケース本体を密閉する樹脂製の蓋部材であって、前記側面同士の間に介在させる天リブを有し、前記天リブの両側で、かつ前記ラベルエリアと対向する部分に、透明な平坦面である透過部が形成されている前記蓋部材と、
を備えた記録テープカートリッジ収納ケース。
【請求項２】
前記周壁の外面に製品識別情報ラベルを貼付可能な平坦領域が形成されている請求項１に記載の記録テープカートリッジ収納ケース。
【請求項３】
前記周壁の互いに対向する一部に、列を成す前記記録テープカートリッジの側面へ向かって突出する突出リブが形成されている請求項１又は請求項２に記載の記録テープカートリッジ収納ケース。
【請求項４】
前記周壁の互いに対向する一部に、列を成す前記記録テープカートリッジの側面へ向かって突出する突出リブが形成され、
前記周壁の外面で、かつ前記突出リブが形成されていない部分に、製品識別情報ラベルを貼付可能な平坦領域が形成されている請求項１に記載の記録テープカートリッジ収納ケース。
【請求項５】
前記底リブは、底面視で前記底板における対辺の一方から他方まで連続した直線状に形成されている請求項１〜請求項４の何れか１項に記載の記録テープカートリッジ収納ケース。
【請求項６】
前記天リブは、平面視で前記蓋部材における対辺の一方から他方まで連続した直線状に形成されている請求項１〜請求項５の何れか１項に記載の記録テープカートリッジ収納ケース。
【請求項７】
前記蓋部材は、上に積み重ねられた別のケース本体の位置を規制する規制部を有し、
前記ケース本体は、別の蓋部材における前記規制部に位置を規制される係合部を有する請求項１〜請求項６の何れか１項に記載の記録テープカートリッジ収納ケース。
【請求項８】
前記係合部は、前記別の蓋部材に対する前記ケース本体の積み重ね面から下方へ突出しない構成とされている請求項７に記載の記録テープカートリッジ収納ケース。
【請求項９】
前記係合部は、前記別の蓋部材に対する前記ケース本体の積み重ね面と面一となる構成とされている請求項７に記載の記録テープカートリッジ収納ケース。
【請求項１０】
前記係合部は、前記ケース本体のコーナー部から前記積み重ね面に沿った方向へ突出されている請求項８又は請求項９に記載の記録テープカートリッジ収納ケース。
【請求項１１】
前記蓋部材のコーナー部を除く周縁には、該周縁に沿った突条部が形成されており、
前記規制部は、前記突条部の長手方向を向く端面で構成されている請求項１０に記載の記録テープカートリッジ収納ケース。
【請求項１２】
請求項１〜請求項１１の何れか１項に記載の記録テープカートリッジ収納ケースと、
前記記録テープカートリッジ収納ケース内にラベルエリアを上に向けて少なくとも２列で収納された複数の記録テープカートリッジと、
を備えた記録テープカートリッジ入り収納ケース。
【請求項１３】
前記ラベルエリアに個体識別情報ラベルが貼付されている請求項１２に記載の記録テープカートリッジ入り収納ケース。
【請求項１４】
前記記録テープカートリッジ収納ケースにおける前記周壁の外面に形成された平坦領域に製品識別情報ラベルが貼付されている請求項１２又は請求項１３に記載の記録テープカートリッジ入り収納ケース。
【発明の詳細な説明】
【技術分野】
【０００１】
本開示は、記録テープカートリッジ収納ケース及び記録テープカートリッジ入り収納ケースに関する。
【背景技術】
【０００２】
磁気テープカートリッジ収納ケース（以下、単に「収納ケース」という場合がある）には、主として単巻用と２０巻用の２種類が存在する。２０巻用の収納ケースとしては、低コスト、良品質、開封容易性の観点から、真空成形品である樹脂製の上ケースと下ケースとを組み合わせたものが使用されている（例えば、特許文献１参照）。このような収納ケースには、複雑なリブ形状が形成されているため、収納ケース自体には、規定サイズ（縦９０ｍｍ×横１４０ｍｍ）の製品識別情報ラベルを歪みなく貼り付ける領域が無い。
【０００３】
したがって、このような収納ケースは、規定サイズの製品識別情報ラベルを貼り付けるために、段ボール箱に封入されて納品されている（例えば、特許文献２参照）。換言すれば、このような収納ケースは、段ボール箱へ封入することなく納品することが困難になっている。これにより、収納ケースには、段ボール箱への梱包形態を踏まえた更なるリブ形状が形成されるなど、様々なリブ構造が提案されて実用化されている。
【先行技術文献】
【特許文献】
【０００４】
【特許文献１】特開２００７−２０４０８３号公報
【特許文献２】特開２００７−１９７０８１号公報
【発明の概要】
【発明が解決しようとする課題】
【０００５】
ところで、記録テープカートリッジの後面に形成されたラベルエリアには、読取機器（バーコードリーダー）で読み取り可能なバーコード及び目視で読み取り可能な文字列が印字された個体識別情報ラベル（バーコードラベル）が貼り付けられる。この個体識別情報ラベルに印字されているバーコード又は文字列を読み取ることにより、記録テープカートリッジの個々の管理が行える。
【０００６】
しかしながら、収納ケースは、上記の通り、複雑なリブ形状を有している。そのため、収納ケースの外部から、収納ケース内に収納された記録テープカートリッジの個体識別情報ラベルに印字されているバーコードを読取機器によって読み取ったり、文字列を目視によって読み取ったりすることが困難になっている。
【０００７】
したがって、収納ケース内に収納された複数の記録テープカートリッジの中から所望とする記録テープカートリッジを探す際には、収納ケースをその都度開ける（下ケースから上ケースを外す）必要があり、その所望とする記録テープカートリッジを探す作業が非常に煩瑣で不便な作業になっている。
【０００８】
そこで、本開示は、記録テープカートリッジのラベルエリアを外部から視認できる記録テープカートリッジ収納ケース及び記録テープカートリッジ入り収納ケースを得ることを目的とする。
【課題を解決するための手段】
【０００９】
上記の目的を達成するために、本開示に係る記録テープカートリッジ収納ケースは、底面視で矩形状の底板と、底板の周縁から立設された周壁と、を有し、複数の記録テープカートリッジがそれぞれラベルエリアを上に向けて少なくとも２列で収納される樹脂製のケース本体であって、底板には、列を成す記録テープカートリッジの互いに隣り合う側面同士の間に介在させる底リブが形成されているケース本体と、周壁の上端に取り付けられ、ケース本体を密閉する樹脂製の蓋部材であって、上記側面同士の間に介在させる天リブを有し、天リブの両側で、かつラベルエリアと対向する部分に、透明な平坦面である透過部が形成されている蓋部材と、を備えている。
【００１０】
また、本開示に係る記録テープカートリッジ入り収納ケースは、上記記録テープカートリッジ収納ケースと、記録テープカートリッジ収納ケース内にラベルエリアを上に向けて少なくとも２列で収納された複数の記録テープカートリッジと、を備えている。
【発明の効果】
【００１１】
本開示によれば、透過部により、記録テープカートリッジのラベルエリアを外部から視認することができる。
【図面の簡単な説明】
【００１２】
【図１】本実施形態に係る記録テープカートリッジ入り収納ケースを示す斜視図である。
【図２】本実施形態に係る記録テープカートリッジ収納ケースを構成するケース本体と蓋部材とを記録テープカートリッジと共に示す分解斜視図である。
【図３】本実施形態に係る記録テープカートリッジ入り収納ケースを示す側面図である。
【図４】本実施形態に係る記録テープカートリッジ収納ケースを構成する蓋部材の平面図である。
【図５】本実施形態に係る記録テープカートリッジ収納ケースの規制部と係合部とを拡大して示す平面図である。
【図６】本実施形態に係る記録テープカートリッジ収納ケースの規制部と係合部とを拡大して示す側面図である。
【図７】本実施形態に係る記録テープカートリッジ収納ケースに収納される記録テープカートリッジの後面を示す斜視図である。
【発明を実施するための形態】
【００１３】
以下、本開示に係る実施の形態について、図面を基に詳細に説明する。なお、説明の便宜上、各図に示される矢印ＵＰを記録テープカートリッジ収納ケース（以下、単に「収納ケース」という）１０の上方向とする。また、矢印ＦＲを収納ケース１０の前方向（正面側）とし、その反対方向を後方向（背面側）とし、矢印ＲＨを収納ケース１０の右方向とするが、前後方向及び左右方向は、図示のものに限定されるものではない。
【００１４】
また、図７に示されるように、記録テープカートリッジ４０は、主にコンピューターなどのデータバックアップ用とされ、磁気テープ等の記録テープ（図示省略）が巻装された単一のリール（図示省略）が扁平直方体形状のケース４２内に収納されて構成されている。記録テープにデータを記録したり、記録テープに記録されているデータを読み取ったりするときには、記録テープカートリッジ４０がドライブ装置（図示省略）に装填され、そのケース４２内から記録テープが引き出されるようになっている。
【００１５】
なお、ケース４２の寸法は、日本工業規格（ＪＩＳ  Ｘ６１７５）で定められている。具体的に言うと、ケース４２の長さ（ドライブ装置への装填方向に沿った長さ）は、１０２．００ｍｍ±０．３０ｍｍであり、ケース４２の幅は、１０５．４０ｍｍ±０．３０ｍｍであり、ケース４２の高さ（厚み）は、２１．５０ｍｍ±０．２５ｍｍである。また、収納ケース１０に貼付する製品識別情報ラベルＬｐのサイズも縦９０ｍｍ×横１４０ｍｍと規定されている。
【００１６】
また、図１、図２に示されるように、収納ケース１０内には、複数の記録テープカートリッジ４０が、少なくとも２列で収納されるようになっており、本実施形態では、１列に１０巻ずつで２列の計２０巻が収納されるようになっている。なお、以下において、記録テープカートリッジ４０が収納された収納ケース１０を、記録テープカートリッジ４０が収納されていない収納ケース１０と区別する場合には、記録テープカートリッジ入り収納ケース１１とする。
【００１７】
図１、図２に示されるように、本実施形態に係る収納ケース１０は、樹脂製のケース本体１２と樹脂製の蓋部材３０とで構成されている。なお、ケース本体１２及び蓋部材３０は、例えばポリプロピレン（ＰＰ）、ポリスチレン（ＰＳ）、ポリエチレンテレフタレート（ＰＥＴ）、ポリカーボネート（ＰＣ）等の樹脂材の真空成形によって形成される。しかしながら、ケース本体１２及び蓋部材３０を成形する樹脂材は、上記樹脂材に限定されるものではない。
【００１８】
図１〜図３に示されるように、ケース本体１２は、底面視で矩形状の底板１４と、底板１４の周縁から立設された矩形状の周壁１６と、を有している。ケース本体１２内には、２０巻の記録テープカートリッジ４０が、それぞれ後面に形成されたラベルエリア４４（図７も参照）を上（ケース本体１２の開口側）に向け、かつケース４２の厚み方向にほぼ隙間無く２列に並べられて収納されるようになっている。
【００１９】
図２、図３に示されるように、底板１４には、列を成す記録テープカートリッジ４０の互いに隣り合う側面同士の間、即ち一方の側面である右側面４５と他方の側面である左側面４３との間に介在させる底リブ２２が形成されている。底リブ２２は、底板１４の左右方向中央部が上方側へ逆「Ｕ」字状に突出されることで、前後方向を長手方向として形成されている。
【００２０】
換言すれば、底リブ２２は、底面視で底板１４における前後の対辺の一方から他方まで（後述する前壁１６Ｆから後壁１６Ｂまで）連続した直線状に形成されている。そして、底リブ２２は、列を成す記録テープカートリッジ４０の互いに隣り合う右側面４５及び左側面４３の各下部に側面視でオーバーラップする（重なる）ようになっている（図３参照）。この底リブ２２により、列を成す記録テープカートリッジ４０の互いに隣り合う右側面４５と左側面４３との間に手指を挿入可能な隙間Ｓ１が形成されるようになっている。
【００２１】
また、底リブ２２の両側における底板１４には、上方側へ矩形枠状に突出されることにより、収納された記録テープカートリッジ４０を５巻ずつ支持する支持リブ２４が形成されている。すなわち、支持リブ２４は、底リブ２２の両側に前後に２個ずつの計４個形成されており、各支持リブ２４上に、各記録テープカートリッジ４０が５巻ずつ、その前面４７（図３参照）を下に向けた状態（ラベルエリア４４を上に向けた状態）で配置されるようになっている。
【００２２】
また、図１〜図３に示されるように、周壁１６は、前壁１６Ｆと後壁１６Ｂと左側壁１６Ｌと右側壁１６Ｒとで構成されている。そして、周壁１６の互いに対向する前壁１６Ｆ及び後壁１６Ｂの一部と左側壁１６Ｌ及び右側壁１６Ｒの一部には、それぞれ上下方向が長手方向とされ、かつケース本体１２内に向けて突出した平面視略半円形状の突出リブ２６が複数形成されている。
【００２３】
具体的に説明すると、前壁１６Ｆ及び後壁１６Ｂには、それぞれの全高に亘る各２本の突出リブ２６が左右方向に所定の間隔を空けて湾曲形成されている。前壁１６Ｆに形成された２本の突出リブ２６は、列を成す記録テープカートリッジ４０の先頭の各天面４６（図７も参照）へ向かって突出し、後壁１６Ｂに形成された２本の突出リブ２６は、列を成す記録テープカートリッジ４０の末尾の各底面４８（図３参照）へ向かって突出している。
【００２４】
また、左側壁１６Ｌ及び右側壁１６Ｒには、それぞれの全高に亘る各３本の突出リブ２６が前後方向に所定の間隔を空けて湾曲形成されている。左側壁１６Ｌに形成された３本の突出リブ２６は、列を成す記録テープカートリッジ４０の各左側面４３へ向かって突出し、右側壁１６Ｒに形成された３本の突出リブ２６は、列を成す記録テープカートリッジ４０の各右側面４５へ向かって突出している。
【００２５】
そして、前壁１６Ｆ（周壁１６）の外面で、かつ突出リブ２６の間（突出リブ２６が形成されていない部分）には、製品識別情報ラベルＬｐを貼付可能な平坦領域２０（図２参照）が形成されている。また、左側壁１６Ｌの外面で、かつ前後方向に離間した突出リブ２６Ｆ、２６Ｂの間には、中央の突出リブ２６Ｃを跨ぐようにして、製品識別情報ラベルＬｐを貼付可能な平坦領域２０（図２参照）が形成されている。
【００２６】
また、ケース本体１２（周壁１６）の各コーナー部（四隅）には、外方側へ（後述する積み重ね面に沿った外方向へ）突出する係合部２８が一体に形成されている。図５に示されるように、各係合部２８は、平面視（又は底面視）で略円弧状に形成されており、ケース本体１２が載せられる別の蓋部材３０における後述する規制部３８によって、その位置が規制されるようになっている。なお、係合部２８は、例えば収納ケース１０を落下させてしまったときの緩衝部としても機能するようになっている。
【００２７】
また、図６に示されるように、各係合部２８の下面２８Ａは、上記した別の蓋部材３０に対するケース本体１２の積み重ね面となる底板１４の下面１４Ａから下方へ突出しない構成とされている。より詳しくは、各係合部２８の下面２８Ａは、上記した別の蓋部材３０に対するケース本体１２の底板１４の下面１４Ａと面一になる構成とされている。
【００２８】
また、図２、図３に示されるように、周壁１６の上端には、外方側へ張り出す張出部１８が全周に亘って一体に形成されている。張出部１８の外周縁には、その外周縁に沿って下方側へ凹む凹溝部１８Ａが屈曲形成されている。また、張出部１８の内周縁には、各コーナー部を除いて上方側へ突出する側面視略矩形状の突条部２９が一体に形成されている。この突条部２９の外壁が凹溝部１８Ａの内壁を構成するようになっている。
【００２９】
図１〜図４に示されるように、蓋部材３０は、周壁１６の上端に取り付けられることで、ケース本体１２を密閉するようになっている。具体的に説明すると、蓋部材３０の外周縁には、その外周縁に沿って下方側へ突出する突出部３０Ａが屈曲形成されている。そして、突出部３０Ａの内方側にも、その突出部３０Ａと同じ高さで外周縁に沿って下方側へ突出する突出部３０Ｂが屈曲形成されている。
【００３０】
したがって、蓋部材３０は、内側の突出部３０Ｂが、ケース本体１２における突条部２９の内周縁に内側から接触した状態で配置され、かつ外側の突出部３０Ａが、凹溝部１８Ａに上方から嵌合することにより、ケース本体１２に取り付けられ、そのケース本体１２を密閉するようになっている。
【００３１】
なお、ケース本体１２内に記録テープカートリッジ４０が収納されている場合には、内側の突出部３０Ｂは、列を成す記録テープカートリッジ４０の先頭の各天面４６、末尾の各底面４８、各右側面４５、各左側面４３と突条部２９の内周縁との間（突出リブ２６によって形成された隙間Ｓ２）に上方から嵌合するようになっている（図３参照）。
【００３２】
また、蓋部材３０の突出部３０Ａと突出部３０Ｂとの間で、かつ各コーナー部を除く部位には、蓋部材３０の外周縁に沿って、直角部分が内方下側に位置する側面視略直角三角形状の突条部３９が一体に形成されている。この突条部３９の内方側を向く垂直面３９Ｂ（図６も参照）が、上に積み重ねられた別のケース本体１２における周壁１６の位置を規制する規制部３７となっている。そして、突条部３９の長手方向を向く端面３９Ａが、上に積み重ねられた別のケース本体１２における係合部２８の位置を規制する規制部３８となっている。
【００３３】
つまり、規制部３７（垂直面３９Ｂ）と規制部３８（端面３９Ａ）とにより、蓋部材３０の上に積み重ねられた別のケース本体１２の位置ずれが抑制されるようになっている。また、この突条部３９は、図３に示されるように、ケース本体１２における突条部２９と隙間Ｓ３を有して上下方向で対向する構成になっており、突条部２９とは直接的には嵌合しない構成になっている。
【００３４】
更に、蓋部材３０は、ケース本体１２を密閉したときに、列を成す記録テープカートリッジ４０の互いに隣り合う側面同士の間、即ち一方の側面である右側面４５と他方の側面である左側面４３との間に介在させる天リブ３２を有している。詳細に説明すると、図３に示されるように、天リブ３２は、蓋部材３０の左右方向中央部が下方側へ「Ｕ」字状に突出されることで、前後方向を長手方向として形成されている。
【００３５】
換言すれば、天リブ３２は、図４に示される平面視で蓋部材３０における対辺の一方から他方まで（前側の突出部３０Ｂから後側の突出部３０Ｂまで）連続した直線状に形成されている。また、天リブ３２の突出高さは、突出部３０Ａ及び突出部３０Ｂの突出高さと略同一とされている（図３参照）。これにより、天リブ３２は、列を成す記録テープカートリッジ４０の互いに隣り合う右側面４５及び左側面４３の各上部に側面視でオーバーラップする（重なる）ようになっている。
【００３６】
また、図１〜図４に示されるように、突出部３０Ｂの内方側における天リブ３２の両側で、かつ収納された記録テープカートリッジ４０のラベルエリア４４と対向する蓋部材３０の一部には、平面視で前後方向が長手方向となる矩形状の平坦面で、かつ透明とされた透過部３４が形成されている。
【００３７】
透過部３４は、ラベルエリア４４とほぼ隙間無く上下方向で対向しており（図３参照）、外部（上方側）から透過部３４を通してラベルエリア４４を視認できるようになっている。これにより、後述する個体識別情報ラベルＬｉ（図７参照）に印字されているバーコードを読取機器（バーコードリーダー）で読み取ったり、個体識別情報ラベルＬｉに印字されている文字列（数字等）を目視により読み取ったりすることができるようになっている。
【００３８】
図７に示されるように、記録テープカートリッジ４０のラベルエリア４４には、ユーザーにより、個体識別情報ラベルＬｉが貼付されるようになっている。すなわち、収納ケース１０内に収納されていた記録テープカートリッジ４０は、ユーザーによって、その収納ケース１０内から取り出され、個体識別情報ラベルＬｉが貼付された後、再び、収納ケース１０内に収納されて保管されるようになっている。
【００３９】
以上のような構成とされた収納ケース１０において、次にその作用について説明する。
【００４０】
出荷時に複数（５巻ずつを１組とし、４組で２０巻）の記録テープカートリッジ４０を収納ケース１０内に収納する際には、各記録テープカートリッジ４０を底板１４の４個の支持リブ２４上に配置する。すなわち、各記録テープカートリッジ４０は、そのラベルエリア４４を上方側へ向け（前面４７を下方側へ向け）、かつケース４２の厚み方向を前後方向に向けて、２列に並べられて収納される。
【００４１】
そして、ケース本体１２の周壁１６の上端に蓋部材３０が取り付けられることにより、収納ケース１０が密閉される。すなわち、ケース本体１２の張出部１８に形成されている凹溝部１８Ａに、蓋部材３０の外周縁に形成されている突出部３０Ａが上方から嵌合される。
【００４２】
そして、ケース本体１２の突条部２９の内周縁と、列を成す記録テープカートリッジ４０の先頭の各天面４６、末尾の各底面４８、各右側面４５、各左側面４３との間（突出リブ２６によって形成された隙間Ｓ２）に、蓋部材３０の突出部３０Ａよりも内方側に形成された突出部３０Ｂが上方から嵌合される。
【００４３】
また、蓋部材３０における天リブ３２が、列を成す記録テープカートリッジ４０の互いに隣り合う右側面４５と左側面４３との間（底リブ２２によって形成された隙間Ｓ１）に上方から入り込む。つまり、前後方向に沿って（一方から他方まで）連続した直線状に形成された天リブ３２と底リブ２２とが、右側面４５と左側面４３との間に入り込み、かつ上下方向に対向する。
【００４４】
以上により、列を成す記録テープカートリッジ４０が収納ケース１０によって保持され、例えば収納ケース１０を、その張出部１８の対角となるコーナー部を把持して持ち上げても、その収納ケース１０に歪みが発生することを底リブ２２及び天リブ３２によって抑制又は防止することができる。
【００４５】
こうして記録テープカートリッジ４０が封入された収納ケース１０、即ち記録テープカートリッジ入り収納ケース１１には、製品識別情報ラベルＬｐが貼付される。具体的には、ケース本体１２の前壁１６Ｆ（周壁１６）の外面に形成されている平坦領域２０に製品識別情報ラベルＬｐが貼付され、かつケース本体１２の左側壁１６Ｌ（周壁１６）の外面に形成されている平坦領域２０に製品識別情報ラベルＬｐが貼付される。
【００４６】
このように、ケース本体１２の周壁１６の外面（特に突出リブ２６が形成されていない部分の外面）には、製品識別情報ラベルＬｐを貼付する平坦領域２０が形成されているので、例えば複雑なリブ形状が形成されている周壁（図示省略）の外面に製品識別情報ラベルＬｐを貼付する場合に比べて、製品識別情報ラベルＬｐを歪みなく、ケース本体１２の周壁１６の外面に貼付することができ、その周壁１６の外面からの剥離を抑制又は防止することができる。
【００４７】
製品識別情報ラベルＬｐが貼付された記録テープカートリッジ入り収納ケース１１（収納ケース１０）は、そのままの状態で出荷され、記録テープカートリッジ４０のユーザーの元へ納品される。つまり、この記録テープカートリッジ入り収納ケース１１（収納ケース１０）は、段ボール箱に封入する必要がない。したがって、段ボール箱に封入していた作業及び段ボール箱に掛かっていたコストを不要にすることができる。
【００４８】
そして、収納ケース１０には、段ボール箱への梱包形態を踏まえた複雑なリブ形状を形成する必要もなくなるため、収納ケース１０（ケース本体１２及び蓋部材３０）を成形する金型の形状を簡略化することができ、収納ケース１０自体の製造コストも低減させることができる。また、記録テープカートリッジ４０のユーザーにおいても、記録テープカートリッジ入り収納ケース１１（収納ケース１０）を段ボール箱から取り出すという煩瑣な作業から解放される。
【００４９】
記録テープカートリッジ４０にデータを記録する場合には、ユーザーが収納ケース１０内から記録テープカートリッジ４０を取り出す。すなわち、まずケース本体１２から蓋部材３０を取り外す。ここで、底板１４には、列を成す記録テープカートリッジ４０の互いに隣り合う右側面４５と左側面４３との間に介在させる底リブ２２が形成されている。したがって、列を成す記録テープカートリッジ４０の互いに隣り合う右側面４５と左側面４３との間には、手指を挿入可能な隙間Ｓ１が形成されている。
【００５０】
また、ケース本体１２の周壁１６には、複数の突出リブ２６が形成されており、列を成す記録テープカートリッジ４０の先頭の各天面４６、末尾の各底面４８、各右側面４５、各左側面４３と周壁１６の内面との間にも、それぞれ突出リブ２６によって手指を挿入可能な隙間Ｓ２が形成されている。そのため、ケース本体１２内から記録テープカートリッジ４０を取り出すときには、その記録テープカートリッジ４０の右側面４５及び左側面４３を手指で把持し易く、容易に取り出すことができる。
【００５１】
こうして、ケース本体１２内から取り出された記録テープカートリッジ４０は、データの記録（及び再生）が可能なドライブ装置に装填される前に、そのケース４２の後面に形成されているラベルエリア４４に個体識別情報ラベルＬｉが貼付される（図７参照）。そして、個体識別情報ラベルＬｉが貼付された記録テープカートリッジ４０は、そのドライブ装置に装填され、ケース４２内から引き出された記録テープにデータが記録される。なお、個体識別情報ラベルＬｉは、記録テープカートリッジ４０（記録テープ）にデータが記録されてから貼付されてもよい。
【００５２】
記録テープにデータが記録され、ドライブ装置から取り出された記録テープカートリッジ４０は、ユーザーにより、その個体識別情報ラベルＬｉを上方側へ向けて（前面４７を下方側へ向けて）、再びケース本体１２内に戻される（収納される）。そして、蓋部材３０により、ケース本体１２が密閉される。
【００５３】
すなわち、ケース本体１２の張出部１８に形成されている凹溝部１８Ａに、蓋部材３０の突出部３０Ａが上方から嵌合される。そして、ケース本体１２の突条部２９の内周縁と、列をなす記録テープカートリッジ４０の先頭の各天面４６、末尾の各底面４８、各右側面４５、各左側面４３との間（突出リブ２６によって形成された隙間Ｓ２）に、蓋部材３０の突出部３０Ｂが上方から嵌合される。このように、蓋部材３０は、再封可能な構成になっている。
【００５４】
ここで、記録テープカートリッジ４０のラベルエリア４４と対向する蓋部材３０には、透明な平坦面である透過部３４が形成されている。したがって、ケース本体１２内に収納された記録テープカートリッジ４０のラベルエリア４４に貼付された個体識別情報ラベルＬｉを、その透過部３４によって蓋部材３０の外側（外部）から視認することができる。
【００５５】
つまり、記録テープカートリッジ４０を収納ケース１０内から取り出さなくても、そのラベルエリア４４に貼付された個体識別情報ラベルＬｉのバーコードを読取機器（バーコードリーダー）によって読み取ることができ、かつ個体識別情報ラベルＬｉの文字列をユーザーが目視によって読み取ることができる。よって、所望とする記録テープカートリッジ４０を収納ケース１０の外側（外部）から探し易く、記録テープカートリッジ４０を効率よく管理することができる。
【００５６】
なお、記録テープカートリッジ４０のラベルエリア４４には、ユーザーへ納品される以前に、個体識別情報ラベルＬｉが貼付されるようになっていてもよい。すなわち、ラベルエリア４４に個体識別情報ラベルＬｉが予め貼付された記録テープカートリッジ４０が、収納ケース１０に封入されて出荷されるようになっていてもよい。また、製品識別情報ラベルＬｐも、記録テープカートリッジ４０が収納される以前に、ケース本体１２の平坦領域２０に貼付されるようになっていてもよい。
【００５７】
また、収納ケース１０は、少なくとも蓋部材３０の透過部３４が透明になっていればよく、蓋部材３０の透過部３４を除く部分及びケース本体１２は、透明になっていなくてもよい。また、ケース本体１２における周壁１６の高さは、その平坦領域２０に貼付する規定サイズ（縦９０ｍｍ×横１４０ｍｍ）の製品識別情報ラベルＬｐの大きさによって適宜決まる。
【００５８】
また、蓋部材３０のコーナー部を除く周縁には、その周縁に沿った突条部３９が形成されており、その突条部３９の垂直面３９Ｂが、蓋部材３０の上に積み重ねられた別のケース本体１２の周壁１６の位置を規制する規制部３７とされている。そして、突条部３９の長手方向を向く端面３９Ａが、蓋部材３０の上に積み重ねられた別のケース本体１２の係合部２８の位置を規制する規制部３８とされている。
【００５９】
換言すれば、ケース本体１２は、ケース本体１２が載せられる別の蓋部材３０における規制部３７（垂直面３９Ｂ）に位置を規制される周壁１６を有し、かつケース本体１２が載せられる別の蓋部材３０における規制部３８（端面３９Ａ）に位置を規制される係合部２８を有している。したがって、収納ケース１０に別の収納ケース１０が積み重ねられたときには、両者の位置が相対的にずれるのを効果的に抑制することができる。
【００６０】
なお、係合部２８は、上記した別の蓋部材３０に対するケース本体１２の底板１４の下面１４Ａから下方へ突出しない構成とされている。更に言えば、この係合部２８は、上記した別の蓋部材３０に対するケース本体１２の底板１４の下面１４Ａと面一となる構成とされている。
【００６１】
したがって、係合部２８が、上記した別の蓋部材３０に対するケース本体１２の底板１４の下面１４Ａから下方へ突出している構成に比べて、ケース本体１２を上記した別の蓋部材３０の上に、より安定させた状態で積み重ねることができる。また、ケース本体１２を成形する金型の形状を更に簡略化することができる。
【００６２】
また、係合部２８は、ケース本体１２のコーナー部から底板１４の下面１４Ａに沿った外方向へ突出されている。したがって、例えば収納ケース１０を落下させてしまっても、その係合部２８が緩衝部として機能し、収納ケース１０の破損又は塑性変形等を抑制又は防止することができる。
【００６３】
また、係合部２８の位置を規制する規制部３８は、突条部３９の長手方向を向く端面３９Ａで構成されている。したがって、係合部２８に対する規制部３８の構成を簡略化することができ、蓋部材３０の形状が複雑化されることを抑制することができる。つまり、このような構成にすれば、蓋部材３０を成形する金型の形状を更に簡略化することができ、蓋部材３０及びケース本体１２からなる収納ケース１０の製造コストを更に低減させることができる。
【００６４】
以上、本実施形態に係る収納ケース１０及び記録テープカートリッジ入り収納ケース１１について、図面を基に説明したが、本実施形態に係る収納ケース１０及び記録テープカートリッジ入り収納ケース１１は、図示のものに限定されるものではなく、本開示の要旨を逸脱しない範囲内において、適宜設計変更可能なものである。
【００６５】
例えば、底リブ２２及び天リブ３２は、連続的な直線形状に限定されるものではなく、断続的な直線形状とされていてもよい。また、突条部３９の形状は、図示の側面視略直角三角形状に限定されるものではなく、係合部２８の形状も、図示の平面視（又は底面視）略円弧状に限定されるものではない。
【００６６】
また、製品識別情報ラベルＬｐが貼付できれば、周壁１６の高さを図示のものより低くしてもよい。この場合、蓋部材３０における透過部３４の周囲に所定高さの周壁（図示省略）を形成し、ケース本体１２の開口から突出した記録テープカートリッジ４０の後部を蓋部材３０によって収納できるようにすればよい。
【００６７】
また、本実施形態に係る収納ケース１０は、２０巻の記録テープカートリッジ４０が収納される大きさに形成されているが、収納ケース１０の大きさは、これに限定されるものではない。すなわち、収納ケース１０は、例えば１０巻ずつで１列を成す記録テープカートリッジ４０が３列以上収納される大きさに形成されてもよい。
【符号の説明】
【００６８】
１０  収納ケース（記録テープカートリッジ収納ケース）
１１  記録テープカートリッジ入り収納ケース
１２  ケース本体
１４  底板
１４Ａ  下面
１６  周壁
１６Ｂ  後壁
１６Ｆ  前壁
１６Ｌ  左側壁
１６Ｒ  右側壁
１８  張出部
１８Ａ  凹溝部
２０  平坦領域
２２  底リブ
２４  支持リブ
２６  突出リブ
２６Ｂ  突出リブ
２６Ｃ  突出リブ
２６Ｆ  突出リブ
２８  係合部
２８Ａ  下面
２９  突条部
３０  蓋部材
３０Ａ  突出部
３０Ｂ  突出部
３２  天リブ
３４  透過部
３７  規制部
３８  規制部
３９  突条部
３９Ａ  端面
３９Ｂ  垂直面
４０  記録テープカートリッジ
４２  ケース
４３  左側面
４４  ラベルエリア
４５  右側面
４６  天面
４７  前面
４８  底面
Ｌｉ  個体識別情報ラベル
Ｌｐ  製品識別情報ラベル
Ｓ１  隙間
Ｓ２  隙間
Ｓ３  隙間
【図１】
2019172270.tif 000003
【図２】
2019172270.tif 000004
【図３】
2019172270.tif 000005
【図４】
2019172270.tif 000006
【図５】
2019172270.tif 000007
【図６】
2019172270.tif 000008
【図７】
2019172270.tif 000009